(57)【要約】【課題】  遊技盤と本体基部との違法な組み合わせを防止する。【解決手段】  支持枠２１には、第２係止部３３、及び台座２４からなる第２遊技盤ユニット固定部材３４が設けられている。第２係止部３３は、第２係止部本体３７、回動支持軸３５、及びフランジ３６とから構成される。第２係止部本体３７はＴ字形状に形成されている。第２遊技盤３１には、第２係止部本体３７に対応するように挿通孔３１ｃがＴ字形状に形成されている。第２係止部本体３７を取付位置にセットした後、第２係止部本体３７を第２遊技盤ユニット３０の第２遊技盤３１に形成された挿通孔３１ｃに挿通させながら第２遊技盤ユニット３０を本体基部６の開口６ａに嵌め込む。第２係止部本体３７を保持位置にセットする。第２係止部本体３７は、挿通孔３１ｃと係合し、第２遊技盤ユニット３０が本体基部６に固定される。【選択図】        図６
2005270588.tif 000002
【特許請求の範囲】
【請求項１】
遊技を行うための遊技領域が形成された遊技盤と、前記遊技盤が着脱自在に取り付けられる本体基部とを備えた遊技機において、  
複数種類の前記遊技盤毎に位置が同じで形状が異なる孔部を形成し、
前記孔部の形状に一致するように形成されており、前記遊技盤を前記本体基部に取り付ける際に前記孔部に挿通する取付位置と、前記孔部との挿通状態を保持して前記遊技盤を前記本体基部に固定する保持位置との間で回動自在で、且つ交換可能な係止部を前記本体基部に設けたことを特徴とする遊技機。
【請求項２】
前記孔部近傍と前記係止部は同一色に着色されていることを特徴とする請求項１記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される遊技機としてパチンコ機が挙げられる。パチンコ機を構成する基体となる本体基部には、パチンコ球（遊技媒体）が打ち出される遊技領域が形成された遊技盤が取り付けられている。さらに、遊技領域を視認させる窓部を備えた前面扉が本体基部に軸支されて、遊技盤の前方において開閉自在に設けられている。設置されているパチンコ機のデザインを一新したり、あるいは遊技性の異なるパチンコ機へ交換する場合には、本体基部が交換されるか、または、本体基部を据え置きとして遊技盤のみが交換される。
【０００３】
ところで、遊技盤と、この遊技盤が取り付けられる本体基部とは、検定を受けた正しい組み合わせになっていなければならず、本体基部１台につき遊技盤１台の組み合わせで登録されている。遊技盤の交換が行われる場合には、新たに本体基部に取り付けられる新遊技盤と、この新遊技盤が取り付けられる本体基部とが上記検定に従った正しい組み合わせになっていなければならず、本体基部から一度取り外された旧遊技盤を許可なく再び同じ本体基部に取り付けて使用することは禁止されている。また、ある本体基部に取り付けられている遊技盤を他の本体基部に付け替えるようなことも禁止されている。
【発明の開示】
【発明が解決しようとする課題】
【０００４】
しかしながら、従来のパチンコ機では、遊技盤と本体基部とが正しい組み合わせでなくても、例えば同じメーカーのものであれば遊技盤を本体基部から自由に取り外して交換することが可能であった。そのため、遊技盤と本体基部とが違法な組み合わせのパチンコ機が存在してしまうといった問題があった。
【０００５】
また、遊技盤を新しいものに交換する場合、新しい遊技盤と本体基部とが正しい組み合わせとなるように、遊技盤と本体基部とのそれぞれに記されている番号を照合しながら遊技盤を本体基部に取り付けていたため、遊技盤の本体基部への取り付け作業が非常に面倒であった。しかも、その作業を、遊技場に設置されている複数のパチンコ機に対して行う場合には多大な時間を費やさなければならなかった。
【０００６】
本発明は上記事情を考慮してなされたもので、遊技盤と本体基部との違法な組み合わせによる組み付けを防止することができる遊技機を提供することを目的とする。また、遊技盤を本体基部に正しい組み合わせで容易に取り付けることができる遊技機を提供することも本発明の別の目的である。
【課題を解決するための手段】
【０００７】
上記目的を達成するために、本発明の遊技機は、遊技を行うための遊技領域が形成された遊技盤と、前記遊技盤が着脱自在に取り付けられる本体基部とを備えたものであり、複数種類の前記遊技盤毎に位置が同じで形状が異なる孔部を形成し、前記孔部の形状に一致するように形成されており、前記遊技盤を前記本体基部に取り付ける際に前記孔部に挿通する取付位置と、前記孔部との挿通状態を保持して前記遊技盤を前記本体基部に固定する保持位置との間で回動自在で、且つ交換可能な係止部を前記本体基部に設けたことを特徴とする。なお、前記孔部近傍と前記係止部は同一色に着色されていることが好ましい。
【発明の効果】
【０００８】
本発明の遊技機によれば、複数種類の前記遊技盤毎に位置が同じで形状が異なる孔部を形成し、前記孔部の形状に一致するように形成されており、前記遊技盤を前記本体基部に取り付ける際に前記孔部に挿通する取付位置と、前記孔部との挿通状態を保持して前記遊技盤を前記本体基部に固定する保持位置との間で回動自在で、且つ交換可能な係止部を前記本体基部に設け、係止部の形状が孔部の形状と一致しなければ遊技盤を本体基部に取り付けることができないようにしたので、遊技盤と本体基部との違法な組み合わせによる組み付けを防止することができる。また、遊技盤を本体基部に取り付ける作業を行う際、遊技盤と本体基部とのそれぞれに記されている検定番号を照合しなくても、遊技盤に形成されている孔部の形状と、本体基部に設けられている固定部材の係止部の形状とが一致しているか否かを確認するだけで遊技盤と本体基部とが正しい組み合わせであるか否かを容易に判別することができるので、遊技盤の本体基部への取り付け作業の効率化を図ることが可能となる。
【０００９】
また、孔部近傍と係止部とを同一色にすることにより、遊技盤と本体基部とが正しい組み合わせであるか否かを作業者に容易に判別させることができるので、遊技盤の本体基部への取り付け作業のより一層の効率化を図ることが可能となる。また、孔部近傍と係止部とを同一色とするのは手間がかかり、仮に偽造しても隣接して設置されている同機種の遊技機との色の違いを容易に視認することができるため、不正行為を抑止することができる。なお、着色される孔部近傍には、遊技盤前面の孔部の周面が含まれる。
【発明を実施するための最良の形態】
【００１０】
図１及び図２に示すように、本発明の遊技機であるパチンコ機２は、本体ユニット３、第１遊技盤ユニット４、前面扉５から構成されている。本体ユニット３は、新しい機種への切り替えの際に、遊技場等の配設場所に据え置かれるユニットである。本体ユニット３は、パチンコ機２の基体となる本体基部６と、この本体基部６を遊技場の配設場所に保持する固定枠７とを有しており、本体基部６は固定枠７の前面に取り付けられている。本体基部６には、操作ハンドルＨ、払い出し口８、球受皿９の他に、特に図示しないが、パチンコ球発射装置、賞球払い出し装置、電源回路などの遊技状態に応じて作動される装置が設けられている。
【００１１】
パチンコ機２において、第１遊技盤ユニット４は、新しい機種への切り替えの際に交換される部位であり、後述する第２遊技盤ユニット３０に交換される。第１遊技盤ユニット４は第１遊技盤１０と制御回路装置１１とから構成されている。第１遊技盤１０の前面側の遊技領域１０ａには、図柄表示装置１２、始動口１３、通常入賞口１４、通過入賞口１５、アタッカ１６などの所定入賞口及びアウト口１７が設けられ、背面側には、遊技状態に応じて各種装置を作動制御する制御回路装置１１が設けられている。図示は省略してあるが、第１遊技盤１０の遊技領域１０ａには複数の障害釘や風車などが適宜箇所に設けられている。
【００１２】
制御回路装置１１は、機種に応じたゲームを実行処理させるメイン制御基盤（不図示）や図柄表示装置１２の表示制御、ランプＲの点灯制御、スピーカーＳから出力される音声制御などを行うサブ制御基盤（不図示）などから構成されている。
【００１３】
前面扉５は、ヒンジ１８を介して本体基部６に開閉自在に且つ着脱自在に取り付けられている。前面扉５には可視部であるガラス１９が交換可能に取り付けられている。ガラス１９は、ヒンジ２０を介して開口５ａに対して回動自在となるように取り付けられている。前面扉５には、ガラス１９の他、ランプＲやスピーカーＳなどが取り付けられている。
【００１４】
なお、前面扉５が閉じているロック状態であるときには、遊技者や遊技場の作業者は、前面扉５のガラス１９を通して第１遊技盤１０の遊技領域１０ａを流下していく遊技媒体であるパチンコ球を見ることはできるが、第１遊技盤１０にはもちろんのこと本体基部６の内部にも触れることができないようになっている。
【００１５】
操作ハンドルＨを操作すると、パチンコ球がパチンコ球発射装置によって一個ずつ第１第１遊技盤１０の遊技領域１０ａに打ち出され、始動口１３、通常入賞口１４、通過入賞口１５、アウト口１７のいずれかに入る。始動口１３にパチンコ球が入ったときには図柄表示装置１２が作動され、表示されている図柄の可変表示が所定時間行われて当たり判定や演出処理が行われる。そして、図柄の可変表示が停止されたときに入賞有効位置上に所定の停止図柄の組み合わせが得られると当たりとなり、遊技上の利益を獲得するうえで遊技者にとって通常よりも有利となる遊技状態へと所定期間移行される。
【００１６】
当たりが得られるときに生じる有利な遊技状態となると、例えば開閉可能な扉部材を備えたアタッカ１６を１回につき所定時間又はパチンコ球が所定個数入賞するまで閉口状態から開口状態にし、これが所定回数繰り返される。始動口１３、通常入賞口１４又はアタッカ１６にパチンコ球が入賞すると所定個数の景品球となる賞球払い出しが行われる。始動口１３、通常入賞口１４又はアタッカ１６にパチンコ球が入賞しなかった場合は、未入賞のパチンコ球としてアウト口１７に入ってハズレ球として回収される。前記景品球は、入賞された入賞口の種類に応じた個数のパチンコ球が払い出し口８から球受皿９に払い出される。
【００１７】
図２に示すように、本体基部６には、第１遊技盤ユニット４が嵌め込まれる略矩形状の開口６ａが形成されている。この開口６ａには、開口６ａに嵌め込まれる第１遊技盤ユニット４を後方から支持し、第１遊技盤ユニット４の後方への脱落を防止する支持枠２１が形成されている。
【００１８】
支持枠２１の右側上下端部には、第１遊技盤ユニット固定部材２２が設けられている。図３に示すように、第１遊技盤ユニット固定部材２２は、第１係止部２３、及び台座２４から構成されている。第１係止部２３は、第１係止部本体２５、回動支持軸２６、及びフランジ２７とから構成されている。第１係止部本体２５は、略楕円形状に形成されており、赤色に着色されている。第１係止部本体２５は回動支持軸２６の一端に回動自在に軸着されており、略矩形状のフランジ２７が回動支持軸２６の他端に形成されている。回動支持軸２６のうち、第１係止部本体２５とフランジ２７の間に露呈されている部位の長さは第１遊技盤１０の厚さｔよりもやや長くなっている。台座２４は第１係止部２３を固定するためのものであり、本体基部６の支持枠２１に固着されている。フランジ２７、及び台座２４のそれぞれには、ビス２８により第１係止部２３を台座２４に着脱自在に固定するためのビス締め孔２７ａ、２４ａが形成されている。
【００１９】
第１遊技盤ユニット４の第１遊技盤１０の右側上下端部には、挿通孔（孔部）１０ｃが第１係止部２３の第１係止部本体２５の形状に一致するように略楕円形状に形成されている。図４に示すように、挿通孔１０ｃの縁（図中のハッチング部分）は赤色に着色されている。また、挿通孔１０ｃは第１係止部本体２５が挿通可能な大きさに形成されている。第１係止部本体２５は回動支持軸２６に回動自在に取り付けられており、第１遊技盤ユニット４を本体基部６に取り付ける際には図に示すように第１係止部本体２５は長手方向が垂直に向けられた取付位置にセットされる。第１遊技盤ユニット４が本体基部６の開口６ａに嵌め込まれると、第１遊技盤ユニット固定部材２２の第１係止部２３の第１係止部本体２５が挿通孔１０ｃに挿通され、第１係止部本体２５が回動自在となるように挿通孔１０ｃから突出する。
【００２０】
図５に示すように、第１係止部本体２５が挿通孔１０ｃから突出した状態でその長手方向が水平となるように９０度回動されると、第１係止部本体２５は、本体基部６と第１遊技盤１０を一体に保持する保持位置にセットされる。第１係止部本体２５は、保持位置への回動によって、挿通孔１０ｃと係合し、挿通孔１０ｃから挿脱不能となり、第１遊技盤ユニット４を係止する。
【００２１】
図６に示すように、第２遊技盤ユニット３０は、第２遊技盤３１と制御回路装置３２とから構成されている。第２遊技盤３１の前面側の遊技領域３１ａには、第１遊技盤１０と同様の入賞口などが設けられており、背面側には、制御回路装置１１と同様の構成をした制御回路装置３２が設けられている。
【００２２】
第１遊技盤ユニット４を第２遊技盤ユニット３０に交換するにあたって、本体基部６の台座２４には、第１係止部２３が取り外され、新たに第２係止部３３が取り付けられる。第２遊技盤ユニット固定部材３４は第２係止部３３と台座２４とから構成される。第２係止部３３は、回動支持軸３５とフランジ３６が第１係止部２３と同様の構成になっており、Ｔ字形状に形成された第２係止部本体３７が回動支持軸３５の端部に回動自在に軸着されている。また、第２係止部本体３７は青色に着色されている。
【００２３】
第２遊技盤ユニット３０は、本体基部６の開口６ａに嵌め込むことができるように、その大きさが第１遊技盤ユニット４と同じ大きさに形成されている。第２遊技盤ユニット３０の第２遊技盤３１には、挿通孔３１ｃが第２係止部３３の第２係止部本体３７の形状に一致するようにＴ字形状に形成されている。挿通孔３１ｃは第２係止部本体３７が挿通可能な大きさに形成されている。また、挿通孔３１ｃの縁（図中のハッチング部分）は青色に着色されている。
【００２４】
第２係止部本体３７は回動支持軸３５に回動自在に取り付けられており、第２遊技盤ユニット３０を本体基部６に取り付ける際には第２係止部本体３７は長手方向が垂直に向けられた取付位置にセットされる。第２遊技盤ユニット３０が本体基部６の開口６ａに嵌め込まれると、第２遊技盤ユニット固定部材３４の第２係止部３３の第２係止部本体３７が挿通孔３１ｃに挿通され、第２係止部本体３７が回動自在となるように挿通孔３１ｃから突出する。
【００２５】
第２係止部本体３７が挿通孔３１ｃから突出した状態でその長手方向が水平となるように９０度回動されると、第２係止部本体３７は、本体基部６と第２遊技盤３１を一体に保持する保持位置にセットされる。第２係止部本体３７は、保持位置への回動によって、挿通孔３１ｃと係合し、挿通孔３１ｃから挿脱不能となり、第２遊技盤ユニット３０を係止する。
【００２６】
このように、本実施形態では、第１、２係止部２３、３３のそれぞれがビス２８によって台座２４に交換可能な状態で取り付けられており、係止部本体の形状が異なる様々な種類の係止部を台座２４に取り付けることができる。すなわち、遊技盤に形成されている挿通孔の形状に応じて台座２４に取り付ける係止部が選択される。
【００２７】
次に上記のように構成されたパチンコ機２の作用について説明する。第１遊技盤ユニット４を本体基部６に取り付ける場合、本体基部６に設けられた第１遊技盤ユニット固定部材２２の第１係止部２３の第１係止部本体２５を取付位置にセットする。そして、第１遊技盤ユニット４の第１遊技盤１０に形成された挿通孔１０ｃの形状と、第１係止部本体２５の形状とが一致していることを確認する。一致していることを確認した後、第１係止部本体２５を第１遊技盤ユニット４の第１遊技盤１０に形成された挿通孔１０ｃに挿通させながら第１遊技盤ユニット４を本体基部６の開口６ａに嵌め込む。第１係止部本体２５を挿通孔１０ｃから突出させた状態で回動させ、第１係止部本体２５を保持位置にセットする。第１係止部本体２５は、挿通孔１０ｃと係合し、これにより、第１遊技盤ユニット４が本体基部６に固定される。
【００２８】
第１遊技盤ユニット４から第２遊技盤ユニット３０に交換する場合、第１係止部本体２５を取付位置にセットしてから第１遊技盤ユニット４を取り外す。次に、第１係止部２３を取り外し、第２係止部３３を台座２４に取り付ける。そして、第２遊技盤ユニット３０の第２遊技盤３１に形成された挿通孔３１ｃの形状と、第２係止部本体３７の形状とが一致していることを確認する。一致していることを確認した後、第２係止部本体３７を第２遊技盤ユニット３０の第２遊技盤３１に形成された挿通孔３１ｃに挿通させながら第２遊技盤ユニット３０を本体基部６の開口に嵌め込む。第２係止部本体３７を挿通孔３１ｃから突出させた状態で第２係止部本体３７を回動させ、第２係止部本体３７を保持位置にセットする。第２係止部本体３７は、挿通孔３１ｃと係合し、これにより、第２遊技盤ユニット３０が本体基部６に固定される。
【００２９】
以上のように、遊技盤ユニットの遊技盤に形成された挿通孔の形状と、本体基部に設けられた遊技盤ユニット固定部材の係止部の係止部本体の形状とが一致しているか否かを視認することで、遊技盤ユニットと本体基部とが正しい組み合わせであるか否かを容易に判別することができる。しかも、第１係止部本体２５と挿通孔１０ｃの縁には赤色が、第２係止部本体３７と挿通孔３１ｃの縁には青色が着色されているので、係止部の色と、挿通孔の縁の色とが同一色であるか否かを視認することで、遊技盤ユニットと本体基部とが正しい組み合わせであるか否かを容易に判別することができ、これにより遊技盤ユニットの本体基部への取り付け作業をより一層正確に、且つ迅速に行うことが可能となる。
【００３０】
上記実施形態では、第１、２係止部２３、３３を台座２４に取り付けたが、本体基部６の支持枠２１、あるいは本体基部６に直接的に取り付けるようにしても良い。
【００３１】
上記実施形態では、第１係止部本体２５と、挿通孔１０ｃの縁とに赤色を着色し、第２係止部本体３７と、挿通孔３１ｃの縁に青色を着色したが、形状が一致している係止部と挿通孔とが同一色に着色されていれば良く、係止部と、挿通孔の縁とに着色される色は適宜に変更可能である。また、挿通孔１０ｃ、３１ｃの縁に着色したが、挿通孔１０ｃ、３１ｃの近傍であれば着色箇所は適宜に変更可能である。また、係止部と、挿通孔の縁とを同一色で着色する代わりに、係止部と、挿通孔の近傍とに同一の数字、アルファベット、記号などを刻印しても良い。
【００３２】
上記実施形態では、第１、２係止部２３、３３をビス２８により台座２４に着脱自在に取り付けたが、第１、２係止部２３、３３を台座２４に着脱自在に取り付ける方法はこれに限ることなく、公知の手法を用いて適宜に構成されていれば良い。例えば、図７に示すような係止部材４０を用いても良い。係止部材４０は、係止部４１、軸４２、フランジ４３、及び爪部４４から構成されている。軸４２は第１遊技盤１０の厚さｔ（図２参照）よりもやや長くなるように形成されている。軸４２の一端には第１係止部本体２５と同形状の係止部４１が固着されている。軸４２の他端にはフランジ４３及び爪部４４が形成されている。
【００３３】
爪部４４は碇状に形成されてている。爪部４４は軸４４ａと係止片４４ｂとから構成されている。軸４４ａはフランジの中央から突出しており、軸４２よりも細径に形成されている。フランジ４３から突出している軸４４ａの先端の両側には、その軸心方向に向かってに撓む弾性を有する変形可能な一対の係止片４４ｂが形成されている。
【００３４】
支持枠２１には台座４５が固着されている。台座４５には、爪部４４が挿入される挿入孔４５ａと、この挿入孔４５ａに爪部４４が挿入された際に爪部４４が収容される中空部４５ｂと、この中空部４５ｂに収容された爪部４４を係止するとともに、爪部４４を１方向（図８の矢印Ｄ方向）にのみ回転可能にする回転規制溝４５ｃと、排出口４５ｄとが形成されている。
【００３５】
図８に示すように、回転規制溝４５ｃは、当接面４５ｅ、４つの摺接部４５ｆ、及び４つの段差部４５ｇから構成されている。当接面４５ｅは、挿入孔４５ａの中空部４５ｂ側の縁に沿って形成されており、当接面４５ｅには、挿入孔４５ａに爪部４４が挿入された際に爪部４４の係止片４４ｂの端面４４ｃ（図７（Ａ）参照）が当接する。摺接部４５ｆのそれぞれは、円弧形状に形成されており、係止部材４０を図中矢印Ｄ方向に回転させた際に、係止片４４ｂの端部の側面が摺接する。段差部４５ｇのそれぞれは、摺接部４５ｇ間に形成されており、爪部４４の係止片４４ｂを係止して、爪部４４の逆方向への回転を阻止する。
【００３６】
係止部材４０を台座４５に取り付けるにあたって、図７（Ａ）に示すように、係止部材４０の爪部４４を矢印Ａ方向に沿って台座４５の挿入孔４５ａに挿入する。このとき、係止片４４ｂが軸４４ａの軸心方向に狭まった変形状態で挿入される。係止片４４ｂが挿入孔４５ａに完全に挿入されると、図７（Ｂ）に示すように、係止片４４ｂは自身の弾性復元力によって元の状態に戻る。係止片４４ｂの端面４４ｃは回転規制溝４５ｃの当接面４５ｅに、係止片４４ｂの端部の側面は回転規制溝４５ｃの摺接部４５ｆに当接し、さらに爪部４４の係止片４４ｂは回転規制溝４５ｃの段差部４５ｇで係止された状態となる。すなわち、図８に示すように、係止部材４０は矢印Ｄ方向にのみ回転可能な状態となる。また、この状態時においてフランジ４３は、係止部材４０が挿入方向に移動するのを規制する。これによりフランジ４３と爪部４４の係止片４４ｂとで台座４５は挟持され、係止部材４０が台座４５に装着された状態となる。
【００３７】
第１遊技盤ユニット４を本体基部６に取り付ける場合には、先ず第１、２係止部２３、３３の場合と同様にして、係止部材４０の係止部４１を取付位置にセットする。そして係止部材４０の係止部４１を第１遊技盤ユニット４の第１遊技盤１０に形成された挿通孔１０ｃに挿通させた後、係止部材４０を回転させて係止部４１を保持位置にセットする。係止部４１は挿通孔１０ｃと係合し、第１遊技盤ユニット４は本体基部６に固定される。第１遊技盤ユニット４を本体基部６から取り外す場合には、保持位置にある係止部４１を取付位置にセットしてから第１遊技盤ユニット４を取り外す。
【００３８】
台座４５に取り付けられたされた係止部材４１を別の係止部材に交換する場合には、先ず係止部材４１を台座４５から取り外すために、台座４５に固定されている係止部材４１の係止部４１を摘んで図８に示す矢印Ｄ方向とは逆方向に回転させるように力を加える。すると、係止部材４１の係止片４４ｂが回転規制溝４５ｃの段差部４５ｇに押し付けられ、やがて係止部材４１の軸４４ａが捩じ切れる。軸４４ａが捩じ切れると、爪部４４が排出口４５ｄから排出される。このようにして爪部４４を破壊することにより係止部材４１が台座４５から取り外し可能となる。係止部材４１を台座４５から取り外した後、係止部材４０と同様にして新しい係止部材を台座４５に取り付ければ良い。
【００３９】
このように、係止部材４０の爪部４４を台座４５の挿入孔４５ａに挿入するだけで、一方向のみ回転可能となるように取り付けられ、係止部材４０を回転規制する方向に係止部材４０を回転させて軸４４ａに負荷を与えることで軸４４ａが破壊されるので、容易に取り外しができ、遊技盤ユニットの交換作業を迅速に行うことが可能となる。また、不正に第１遊技盤１０を取り外し、第１遊技盤１０に取り付けられている制御回路装置３２を別の制御回路装置に交換しようとしても、係止部材４０を破壊しなければならず、破壊した際、あるいは破壊しようとした際には痕跡が残されるので、不正行為を早期に発見することができ、不正行為を抑止することが可能となる。
【００４０】
なお、台座４５には、回転規制溝４５ｃの代わりに爪部４４を単に台座４５に固定するためだけの溝を形成しても良い。この場合、係止部４１は軸４２の一端に回動自在に軸着される。このように構成することで係止部４１は取付位置と保持位置との間で移動自在となる。台座４５に取り付けられた係止部材４０を取り外す場合には、軸４４ａをニッパなどの工具を用いて切断すれば良い。
【００４１】
次に図９及び図１０を参照しながら別の実施形態について説明する。上記実施形態のものと同様の構成部材には同一の符号を付し、その詳細な説明は省略する。第１係止部２３はビス２８により台座２４に固着されている。第１係止部本体２５には非接触で情報のやり取りができる記憶媒体であるＲＦＩＤタグ５０が埋設されている。ＲＦＩＤタグ５０は、ＩＣチップ５１と、ＩＣチップ５１の外面に設けられたアンテナ部５２とからなる。アンテナ部５２は、ＩＣチップ５１の復調回路５１ａ及び変調回路５１ｄに接続されている。アンテナ部５２では、ＲＦＩＤリーダ５３から受けた電波が電磁誘導作用により電力として蓄積される。この電力は、ＩＣチップ５１に内蔵された各種回路の電源として利用される。
【００４２】
ＩＣチップ５１には、復調回路５１ａと、コントローラ５１ｂと、情報記憶回路５１ｃと、変調回路５１ｄとが設けられている。復調回路５１ａは、アンテナ部５２で受信した電波を検波・復調して命令信号を取り出し、取り出した命令信号をコントローラ５１ｂに入力する。コントローラ５１ｂは、入力された命令信号に従って情報記憶回路５１ｃを制御する。情報記憶回路５１ｃには、第１係止部２３についての固有のセキュリティ管理番号が記憶されている。
【００４３】
コントローラ５１ｂは、書き込み命令信号、読み出し命令信号、書き換え命令信号が入力されることにより、情報記憶回路５１ｃに対し、新たなセキュリティ管理番号の書き込み、記憶されたセキュリティ管理番号の読み出し、記憶されたセキュリティ管理番号の書き換えをそれぞれ行う。コントローラ５１ｂは、読み出し命令信号が入力されることにより、情報記憶回路５１ｃから読み出したセキュリティ管理番号を変調回路５１ｄに入力する。変調回路５１ｄは入力されたセキュリティ管理番号を示す電気信号を変調してアンテナ部５２に出力し、アンテナ部５２はセキュリティ管理番号を電波として発信する。セキュリティ管理番号の書き込みと書き換えは第１係止部２３の製造過程において行われ、遊技場に設置された状態では、特定の暗号情報の入力を行わない限り、セキュリティ管理番号の書き換えが行えないようにされている。
【００４４】
ＲＦＩＤリーダ５３は、アンテナ部５４、復調回路５５、コントローラ５６、変調回路５７、電波発生回路５８、メモリ５９、表示装置６０を備えている。復調回路５５は、アンテナ部５４で受信したＲＦＩＤタグ５０からの電波を検波・復調してセキュリティ管理番号を取り出し、取り出したセキュリティ管理番号をコントローラ５６に入力する。コントローラ５６は、ＲＦＩＤタグ５０からセキュリティ管理番号を読み出すための読み出し命令信号を変調回路５７に入力する処理と、ＲＦＩＤタグ５０から読み出されたセキュリティ管理番号が正規のセキュリティ管理番号であるか否かの判定を行う処理と、セキュリティ管理番号が認識できなかったときに読み取りエラー信号を出力する処理とを行う。変調回路５７に入力された読み取し命令信号は、変調された後、電波発生回路５８を介してアンテナ部５４から電波として発信される。
【００４５】
メモリ５９には正規のセキュリティ管理番号が記憶されている。コントローラ５６はメモリ５９に記憶されている正規のセキュリティ管理番号を読み出し、正規のセキュリティ管理番号とＲＦＩＤタグ５０から読み出されたセキュリティ管理番号との照合を行う。コントローラ５６は表示装置６０を制御して表示装置６０に照合結果を示す画面を表示させる。
【００４６】
このようにして、第１係止部２３に固有のセキュリティ管理番号が記憶されているＲＦＩＤタグ５０を埋設しておき、ＲＦＩＤリーダ５３によってＲＦＩＤタグ５０に記憶されているセキュリティ管理番号を読み出し、ＲＦＩＤタグ５０から読み出されたセキュリティ管理番号が正規のものであるか否かを判定することにより、第１係止部２３がホールの従業員以外の者に不正に取り外されたか否かを容易に確認することができる。
【００４７】
つまり、ＲＦＩＤリーダ５３で読み取ったセキュリティ管理番号が正規のセキュリティ管理番号であった場合には、ＲＦＩＤリーダ５３の表示装置６０にて読み取ったセキュリティ管理番号が正規のセキュリティ管理番号であることを示す画面が表示される。一方、ＲＦＩＤリーダ５３でセキュリティ管理番号が読み取れなかった場合には、第１係止部２３が正規のものではなく、不正に交換された可能性があると判断することができる。また、ＲＦＩＤリーダ５３で読み取ったセキュリティ管理番号が正規のセキュリティ管理番号でなかった場合には、ＲＦＩＤリーダ５３の表示装置６０にて読み取ったセキュリティ管理番号が正規のものと一致しないことを示す画面が表示されるので、第１係止部２３が不正に交換された可能性があると判断することができる。これにより、例えば、不正に第１遊技盤ユニット４を取り外し、制御回路装置１１に搭載されている正規の制御ＲＯＭを不正な制御ＲＯＭに交換する行為等を抑止することができる。
【００４８】
また、第１遊技盤ユニット固定部材２２には、台座２４からフランジ２７に亘って封印シール６１が貼付されている。第１係止部２３を他の係止部に交換したときには封印シール６１が剥離し、台座２４に封印シール６１の残骸が残される。これにより、不正に第１係止部２３が他のものに交換された際にはその行為が痕跡として残るため、第１係止部２３が不正に交換されたか否かを容易に確認することが可能となる。
【００４９】
なお、ＲＦＩＤタグ５０の情報記憶回路５１ｃに記憶させておく情報としては、セキュリティ管理番号に限ることなく、パチンコ機２の製造日、出荷日、出荷先、機種名、機種番号、再利用回数などの情報、あるいはパチンコ機２を構成している部品に纏わる各種情報を記憶させておいても良く、これによりホールに設置されている全てのパチンコ機の状態を容易に点検・管理することができる。
【００５０】
以上のように、第１係止部２３に埋設したＲＦＩＤタグ５０に上述したセキュリティ管理番号や各種情報を記憶させることで、ＲＦＩＤリーダ５３を介してホールに設置されている全てのパチンコ機についてのセキュリティ管理番号や各種情報を一元管理することができる。また、非接触で確認できるため迅速且つ的確に点検を行うことができる。
【図面の簡単な説明】
【００５１】
【図１】本発明を適用したパチンコ機の外観を示す斜視図である。
【図２】第１遊技盤ユニットと本体ユニットとを示す斜視図である。
【図３】第１遊技盤ユニット固定部材の分解斜視図である。
【図４】第１遊技盤ユニット固定部材の第１係止部が取付位置にセットされた状態を示す正面図である。
【図５】第１遊技盤ユニット固定部材の第１係止部が保持位置にセットされた状態を示す正面図である。
【図６】第２遊技盤ユニットと本体ユニットとを示す斜視図である。
【図７】（Ａ）係止部材が台座に取り付けられる前の状態を示す断面図である。（Ｂ）係止部材が台座に取り付けられたときの状態を示す断面図である。
【図８】Ｂ−Ｃ断面図である。
【図９】第１係止部にＲＦＩＤタグが埋設されている第１遊技盤ユニット固定部材、及びＲＦＩＤリーダを示す斜視図である。
【図１０】ＲＦＩＤタグとＲＦＩＤリーダの構成を示すブロック図である。
【符号の説明】
【００５２】
２    パチンコ機（遊技機）
４    第１遊技盤ユニット
６    本体基部
１０    第１遊技盤
１０ｃ、３１ｃ    挿通孔
２２    第１遊技盤ユニット固定部材
２３    第１係止部
２５    第１係止部本体
３３    第２係止部
３４    第２遊技盤ユニット固定部材
３７    第２係止部本体
３０    第２遊技盤ユニット
３１    第２遊技盤
４０    係止部材
４５    台座
【図１】
2005270588.tif 000003
【図２】
2005270588.tif 000004
【図３】
2005270588.tif 000005
【図４】
2005270588.tif 000006
【図５】
2005270588.tif 000007
【図６】
2005270588.tif 000008
【図７】
2005270588.tif 000009
【図８】
2005270588.tif 000010
【図９】
2005270588.tif 000011
【図１０】
2005270588.tif 000012